(57)【要約】【課題】コンバインの穀稈脱穀搬送装置を構成するフィードチェンに対向して設ける挟持杆を穀稈の増減に応じて動きやすくすることで、供給搬送装置から送られてくる穀稈を詰まらせないで確実に引き継ぐようにすることを課題とする。【解決手段】刈り取った穀稈を脱穀装置３０のフィードチェン４に供給する供給搬送装置１と、穀稈の穂先側を脱穀装置３０に供給して搬送する穀稈脱穀搬送装置３の始端部側であって、この穀稈脱穀搬送装置３のフィードチェン４に対向して設ける挟持杆５を取り付けたブラケット６を上方へ移動可能に構成し、該ブラケット６を上方へ移動させると前記フィードチェン４の供給側が開放されるように構成したコンバインの穀稈搬送装置において、前記挟持杆５とブラケット６をリンク機構７で連結して挟持杆５がフィードチェン４との対向搬送部に対して遠近移動すべく構成したことを特徴とするコンバインの穀稈搬送装置の構成とする。【選択図】図１
2007028944.tif 000002
【特許請求の範囲】
【請求項１】
刈り取った穀稈を脱穀装置（３０）のフィードチェン（４）に供給する供給搬送装置（１）と、穀稈の穂先側を脱穀装置（３０）に供給して搬送する穀稈脱穀搬送装置（３）の始端部側であって、この穀稈脱穀搬送装置（３）のフィードチェン（４）に対向して設ける挟持杆（５）を取り付けたブラケット（６）を上方へ移動可能に構成し、該ブラケット（６）を上方へ移動させると前記フィードチェン（４）の供給側が開放されるように構成したコンバインの穀稈搬送装置において、前記挟持杆（５）とブラケット（６）をリンク機構（７）で連結して挟持杆（５）がフィードチェン（４）との対向搬送部に対して遠近移動すべく構成したことを特徴とするコンバインの穀稈搬送装置。
【請求項２】
二本のリンク（８），（９）でそれぞれの端部を挟持杆（５）とブラケット（６）に枢着した四点リンクからなるリンク機構（７）の構成としたことを特徴とする請求項１に記載のコンバインの穀稈搬送装置。
【請求項３】
挟持杆（５）とブラケット（６）を連結するリンク機構（７）のリンク（８），（９）の長手方向を搬送方向（Ａ）に対して後退角（θ）を持たせて設けたことを特徴とする請求項２に記載のコンバインの穀稈搬送装置。
【発明の詳細な説明】
【技術分野】
【０００１】
この発明は、コンバインの穀稈搬送装置に関する。
【背景技術】
【０００２】
コンバインの穀稈搬送装置は、刈り取った穀稈を脱穀装置に供給する供給搬送装置と、穀稈の穂先を脱穀装置に供給して搬送する穀稈脱穀搬送装置で構成され、供給搬送装置と穀稈脱穀搬送装置の引継ぎ部において、フィードチェンに対向して設ける挟持杆を上方へ回動してフィードチェンの供給側を開放可能にし、この開放部から農作業者が手で刈り取った穀稈を穀稈脱穀搬送装置に供給して脱穀できるようにしている。
【０００３】
例えば、特許文献１には、図９に示す如く、挟持杆を上方へ回動してフィードチェンの供給側を開放可能にするために端部を回動可能に枢支したブラケットに挟持杆を取り付けているが、その挟持杆の取り付けは前側をブラケットに枢支したロッドに固着し後側をブラケットに対して上下動可能に設けたロッドに固着した構成である。
【特許文献１】特開２０００−９２９６８号公報
【発明の開示】
【発明が解決しようとする課題】
【０００４】
前記の特許文献１に記載のブラケットに挟持杆を取り付ける構成は、搬送する穀稈の増減に対して円滑に動き難く、供給搬送装置から多量の穀稈が送られてきた際に引継ぎが悪くて詰まりを生じることがあった。
【０００５】
本発明では、簡単な構成で挟持杆を動き易くして供給搬送装置から穀稈脱穀搬送装置への穀稈の引継ぎ搬送が詰まりを生じないで円滑に行われるようにすることが課題である。
【課題を解決するための手段】
【０００６】
本発明の上記課題は次の構成によって達成される。
すなわち、請求項１記載の発明では、刈り取った穀稈を脱穀装置３０のフィードチェン４に供給する供給搬送装置１と、穀稈の穂先側を脱穀装置３０に供給して搬送する穀稈脱穀搬送装置３の始端部側であって、この穀稈脱穀搬送装置３のフィードチェン４に対向して設ける挟持杆５を取り付けたブラケット６を上方へ移動可能に構成し、該ブラケット６を上方へ移動させると前記フィードチェン４の供給側が開放されるように構成したコンバインの穀稈搬送装置において、前記挟持杆５とブラケット６をリンク機構７で連結して挟持杆５がフィードチェン４との対向搬送部に対して遠近移動すべく構成したことを特徴とするコンバインの穀稈搬送装置としたものである。
【０００７】
この請求項１記載の発明では、固定したブラケット６に対してリンク機構７で連結した挟持杆５のみがフィードチェン４に対して遠近移動して穀稈を挟み込むので、穀稈の移送抵抗が少なく詰りが生じない。
【０００８】
請求項２記載の発明では、二本のリンク８，９でそれぞれの端部を挟持杆５とブラケット６に枢着した四点リンクからなるリンク機構７の構成としたことを特徴とする請求項１に記載のコンバインの穀稈搬送装置としたものである。
【０００９】
請求項２では、挟持杆５とブラケット６を連結するリンク機構７を二本のリンク８，９でそれぞれの端部を挟持杆５とブラケット６に枢着した四点リンクにすると、簡単で廉価な構成で製作でき、枢支部が少ないので動き易い。
【００１０】
請求項３記載の発明では、挟持杆５とブラケット６を連結するリンク機構７のリンク８，９の長手方向を搬送方向Ａに対して後退角θを持たせて設けたことを特徴とする請求項２に記載のコンバインの穀稈搬送装置としたものである。
【００１１】
請求項３では、挟持杆５とブラケット６を連結するリンク機構７のリンク８，９の長手方向をフィードチェン４の搬送方向Ａに対して後退角θを持たせて設けると、多量の穀稈が供給された場合に挟持杆５が穀稈の移送抵抗によって移送後方へ逃げながら上昇してフィードチェン４との間隔を広げるので、多量の穀稈を無理なく円滑に引き継ぎ搬送することになる。
【発明の効果】
【００１２】
本発明は上述のごとく構成したので、フィードチェン４に対向して設ける挟持杆５のみが供給搬送装置１から供給される穀稈の量に応じて遠近移動するので、穀稈の増減に対して挟持杆５が移動しやすく搬送乱れや抜け落ちを防いで、供給搬送装置１から穀稈脱穀搬送装置３への穀稈引き継ぎが詰り無く円滑に行われる。
【００１３】
特に請求項２の構成では、構造が簡単で故障する可能性が少なくなく脱穀装置３０での穀稈引き込みに対して充分に抵抗する強度がある。
また、請求項３の構成では、供給搬送装置１から供給される穀稈の量が増減変動しても挟持杆５が抵抗少なく後方へ移動しながらフィードチェン４との間隔を調整するので、搬送乱れや抜け落ちを防いで、穀稈の移送が停滞しない効果がある。
【発明を実施するための最良の形態】
【００１４】
本発明を具現化した農業機械であるコンバインにおいて、穀稈の搬送をメインに説明する。
コンバインの全体は、図６と図７に示される如く構成され、クローラ走行装置１１を有する車台１２の前方には、刈取装置１３が設けられている。この刈取装置１３には、植立穀稈を分草する複数の分草具１４と、植立穀稈を引き起こす複数の引起装置１５と、植立穀稈を刈り取る刈刃１６と、該刈刃１６にて刈り取られた穀稈を挟持して後方に搬送する供給搬送装置１が設けられている。刈刃１６が刈り取った穀稈は、供給搬送装置１で上方へ搬送され、穀稈脱穀搬送装置３に引き継がれ、穂先を脱穀装置３０内へ供給して脱穀され、脱穀後の穀稈が機体最後部に設けたカッター３８で細かく切断され圃場へ放出される。
【００１５】
穀稈脱穀搬送装置３の中間から後部は、フィードチェン４とこのフィードチェン４に対向して設ける挟持杆１７から構成し、挟持杆１７は断面コ字状の部材１７ａ，１７ｂ，１７ｃを複数枢支連結したもので、各部材１７ａ，１７ｂ，１７ｃがバネ１９でフィードチェン４に向けて弾発付勢して取付け枠１８へ取り付けている。
【００１６】
供給搬送装置１との引継ぎ部となる穀稈脱穀搬送装置３の前部で、フィードチェン４に対向して挟持杆５を設け、供給搬送装置１で搬送する穀稈を受け取り、フィードチェン４と挟持杆５で挟んで送りフィードチェン４と挟持杆１７の間へ送り込んでいる。
【００１７】
前記取付け枠１８の先端に固着した保持枠２０に横軸２１で回動可能にブラケット６を取付け、このブラケット６に挟持杆５をリンク機構７で取り付けている。
ブラケット６は、保持枠２０との間に引っ張りバネ２２を張ってブラケット６が下方へ押し下げられるようにしていて、ブラケット６を上方へ回動するとフィードチェン４の上を広く開放するようにしている。（図６参照）
ブラケット６と挟持杆５を連結するリンク機構７は、二本の平行リンク８，９の両端部をピン２３，２４，２５，２６で回動可能に枢支した四点リンクであって、ブラケット６とリンク８との間にトーションバネ２７を張り挟持杆５を下方へ付勢している。リンク８，９の長手方向はフィードチェン４の移送方向Ａに対して後退角θを持たせているので、多量の穀稈が挟持杆５に当たると挟持杆５が後上方へ移動して逃げながらフィードチェン４との間隔を広げる。
【００１８】
挟持杆５の先端は上方へ湾曲し供給搬送装置１から送り込まれる穀稈をフィードチェン４との間へ受け入れるようにして、後端は挟持杆１７の先端と側面視で重なるようにしている。この重なり部には挟持杆５の浮き上がりを規制する規制具２８を挟持杆１７の先端部材１７ａに固着し、多量の穀稈を挟持杆５とフィードチェン４の間に挟み込んだ場合に挟持杆５の後端部が規制具２８に係合して挟把杆１７の先端部材１７ａを押し上げて穀稈の引継ぎを円滑に行うようになる。挟持杆５が規制具２８に係合する位置は図４に示す如くフィードチェン４から充分な隙間Ｓを形成する位置である。また、規制具２８には挟持杆５が係合する凹部を形成し係合時に外れないようにしている。
【００１９】
なお、挟持杆５とブラケット６を連結するリンク機構７は、図５に示す如く、前後をクロスリンク３６，３７で連結する構成も考えられる。
ブラケット６を上方へ回動するとフィードチェン４の上方を広く開放して人手によって刈り取った穀稈をフィードチェン４の上に供給できるのであるが、図６に示すように挟持杆５が後方へ逃げることによってさらに広い空間が出来て穀稈の供給が楽になる。
【００２０】
フィードチェン４の駆動は、図８に示す如く、原動機４０から油圧変速機４１に駆動力を伝動し、この油圧変速機４１からクラッチ４３を介してフィードチェン４に駆動力を伝動している。また、油圧変速機４１の出力はクローラ走行装置１２のミッション４２に伝動すると共に刈取装置１３にも伝動している。従って、フィードチェン４の駆動速度はクローラ走行装置１１の走行速度すなわち穀稈の刈り取り速度及び供給搬送装置１の移送速度に同期して変速することになり、穀稈の処理量に応じて供給搬送装置１と穀稈脱穀搬送装置３の移送速度が同期して変速し、穀稈が詰まらないように円滑に引継ぎが行われる。
【００２１】
なお、原動機４０の出力は、扱胴２や二番処理胴４４及び穀粒排出オーガ３４等の駆動にも使われる。
車台１２の上方には、フィードチェン４を有する脱穀装置３０の右側方にこの脱穀装置３０で脱穀選別された穀粒を一時貯溜するグレンタンク３１と、該グレンタンク３１の前方に位置していてコンバインの操縦等の各種操作を実行する操作部３２が載置されている。
【００２２】
前記グレンタンク３１内の穀粒量が満杯となると、揚穀筒３３と穀粒排出オーガ３４から穀粒を機外へと排出する。揚穀筒３３は電気モータ（図示せず）にて旋回可能に構成され、また、穀粒排出オーガ３４は油圧シリンダ３５にて昇降可能に構成されている。そして、穀粒排出オーガ３４は揚穀筒３３の上部に連結されて一体的に構成され、揚穀筒３３が旋回すると、穀粒排出オーガ３４も一緒に旋回する構成となっている。
【００２３】
このようなコンバインを前進させて刈取作業をすると、圃場面に植立している穀稈は、分草具１４にて分草され、その後、引起装置１５にて引き起こされて刈刃１６にて刈り取られる。その後、刈り取られた穀稈は供給搬送装置１にて後上方へ搬送され、穀稈脱穀搬送装置３へと引き継ぎ搬送される。この穀稈脱穀搬送装置３に引き継がれた穀稈は、穂先側が脱穀装置３０へ供給されて脱穀選別され、脱穀済の穀稈がカッター３８で細かく切断され圃場へ放出される。
【図面の簡単な説明】
【００２４】
【図１】本発明実施例の一部拡大側面図
【図２】本発明実施例の一部拡大正面図
【図３】作用状態を示す本発明実施例の一部拡大側面図
【図４】本発明実施例の一部拡大正面図
【図５】本発明の別実施例を示す一部拡大側面図
【図６】本発明実施例の全体側面図
【図７】本発明実施例の全体平面図
【図８】本発明実施例の動力伝動図
【図９】従来例の一部拡大側面図
【符号の説明】
【００２５】
１    供給搬送装置
２    扱胴
３    穀稈脱穀搬送装置
４    フィードチェン
５    挟持杆
６    ブラケット
７    リンク機構
８    リンク
９    リンク
Ａ    搬送方向
θ    後退角
【図１】
2007028944.tif 000003
【図２】
2007028944.tif 000004
【図３】
2007028944.tif 000005
【図４】
2007028944.tif 000006
【図５】
2007028944.tif 000007
【図６】
2007028944.tif 000008
【図７】
2007028944.tif 000009
【図８】
2007028944.tif 000010
【図９】
2007028944.tif 000011